【手続補正書】
【提出日】平成19年7月26日(2007.7.26)
【手続補正１】
【補正対象書類名】明細書
【補正対象項目名】００４７
【補正方法】変更
【補正の内容】
【００４７】
以下、本発明の実施例を図面および数値データを用いて説明する。
第１実施例
図３は本発明によるズーム光学系の第１実施例のレンズ構成を示す光軸に沿う断面図で、（ａ）は広角端、（ｂ）は中間、（ｃ）は望遠端の状態をそれぞれ示している。図４は第１実施例における球面収差、像面湾曲、歪曲収差、倍率色収差、縦のコマ収差、横のコマ収差を示し、（ａ）は広角端、（ｂ）は中間、（ｃ）は望遠端の状態をそれぞれ示している。
【手続補正２】
【補正対象書類名】明細書
【補正対象項目名】００４８
【補正方法】変更
【補正の内容】
【００４８】
第１実施例の４群ズーム光学系は、物体側より順に、正の第１レンズ群Ｇ１と、負の第２レンズ群Ｇ２と、開口絞りＳと、正の第３レンズ群Ｇ３と、正の第４レンズ群Ｇ４とで構成されている。ＬＰＦは光学ローパスフィルター、ＣＧはカバーガラス、ＩはＣＣＤ等の電子撮像素子の撮像面である。
第１レンズ群Ｇ１は、物体側より順に、負の第１レンズＬ１1と正の第２レンズＬ１2との接合レンズで構成されている。負の第１レンズＬ１1は、物体側に凸面を向けたメニスカスレンズである。正の第２レンズＬ１2は両凸レンズである。
負の第２レンズ群Ｇ２は、物体側より順に、負の第１レンズＬ２1と、負の第２レンズＬ２2と、正の第３レンズＬ２3で構成されている。負の第１レンズＬ２1と負の第２レンズＬ２2はともに両凹レンズであり、正の第３レンズＬ２3は両凸レンズである。
正の第３レンズ群Ｇ３は、両側面に非球面を有する両凸レンズＬ３1と、物体側に凸面を向けた正メニスカスレンズＬ３2と物体側に凸面を向けた負メニスカスレンズＬ３3との接合レンズで構成されている。
正の第４レンズ群Ｇ４は、両側面に非球面を有する一枚の両凸レンズＬ４1で構成されている。
【手続補正３】
【補正対象書類名】明細書
【補正対象項目名】００５５
【補正方法】変更
【補正の内容】
【００５５】
第２実施例の４群ズーム光学系は、物体側より順に、正の第１レンズ群Ｇ１と、負の第２レンズ群Ｇ２と、開口絞りＳと、正の第３レンズ群Ｇ３と、正の第４レンズ群Ｇ４とで構成されている。ＬＰＦは光学ローパスフィルター、ＣＧはカバーガラス、ＩはＣＣＤ等の電子撮像素子の撮像面である。
第１レンズ群Ｇ１は、物体側より順に、負の第１レンズＬ１1と正の第２レンズＬ１2との接合レンズで構成されている。負の第１レンズＬ１1は、物体側に凸面を向けたメニスカスレンズである。正の第２レンズＬ１2は両凸レンズである。
負の第２レンズ群Ｇ２は、物体側より順に、負の第１レンズＬ２1と、負の第２レンズＬ２2と、正の第３レンズＬ２3で構成されている。負の第１レンズＬ２1と負の第２レンズＬ２2はともに両凹レンズであり、正の第３レンズＬ２3は両凸レンズである。
正の第３レンズ群Ｇ３は、両側面に非球面を有する両凸レンズＬ３1と、物体側に凸面を向けた正メニスカスレンズＬ３2と物体側に凸面を向けた負メニスカスレンズＬ３3との接合レンズで構成されている。
正の第４レンズ群Ｇ４は、両側面に非球面を有し物体側に凸面を向けた一枚の正メニスカスレンズＬ４1で構成されている。
【手続補正４】
【補正対象書類名】明細書
【補正対象項目名】００６１
【補正方法】変更
【補正の内容】
【００６１】
第３実施例の４群ズーム光学系は、物体側より順に、正の第１レンズ群Ｇ１と、負の第２レンズ群Ｇ２と、開口絞りＳと、正の第３レンズ群Ｇ３と、正の第４レンズ群Ｇ４とで構成されている。ＬＰＦは光学ローパスフィルター、ＣＧはカバーガラス、ＩはＣＣＤ等の電子撮像素子の撮像面である。
第１レンズ群Ｇ１は、物体側より順に、負の第１レンズＬ１1と正の第２レンズＬ１2との接合レンズで構成されている。負の第１レンズＬ１1は、物体側に凸面を向けたメニスカスレンズである。正の第２レンズＬ１2は両凸レンズである。
負の第２レンズ群Ｇ２は、物体側より順に、負の第１レンズＬ２1と、負の第２レンズＬ２2と、正の第３レンズＬ２3で構成されている。負の第１レンズＬ２1と負の第２レンズＬ２2はともに両凹レンズであり、正の第３レンズＬ２3は両凸レンズである。
正の第３レンズ群Ｇ３は、両側面に非球面を有する両凸レンズＬ３1と、両凸レンズＬ３2と、物体側に凸面を向けた負メニスカスレンズＬ３3とで構成されている。
正の第４レンズ群Ｇ４は、両側面に非球面を有し物体側に凹面を向けた一枚の正メニスカスレンズＬ４1で構成されている。
【手続補正５】
【補正対象書類名】明細書
【補正対象項目名】００６３
【補正方法】変更
【補正の内容】
【００６３】
次に、第３実施例のズーム光学系を構成する光学部材の数値データを示す
ｆ＝６．０１〜２５．３１ｍｍ     ＦＮＯ．＝２．９〜４．８    ２ω＝８５．７６〜１９．９２°
面番            Ｒ                     Ｄ                Ｎｄ              Ｖｄ
１         ３４．８７３             １．００      １．９２２８６        ０．８８
２         ２２．８６４             ３．３０      １．８３４８１      ４２．７１
３       ２０４．１６２             Ｄ３
４     −１２５．５７１             ０．９０      １．８８３００      ４０．７６
５           ８．６０９             ３．０７
６       −１６．９９８             ０．８５      １．８１６００      ４６．６２
７         ４２．３０４             ０．６６
８         ２１．７３８             ２．２０      １．８４６６６      ２３．７８
９       −３６．４４５             Ｄ９
１０         ∞（絞り）             １．００
１１         ７．４４７（非球面）   ２．００      １．５８９１３      ６１．２５
１２     −５９．５７５（非球面）   ０．２０
１３         ９．６１１             ２．３０      １．４９７００      ８１．５４
１４   −１０３．２４８             ０．２１
１５       １０．４７９             ０．８０      １．８４６６６      ２３．７８
１６         ４．３８３             Ｄ１６
１７     −５９．７６４（非球面）   ２．３０      １．５８３１３      ５９．４６
１８     −１０．９０９（非球面）   Ｄ１８
１９         ∞                     ０．９５      １．５４７７１      ６２．８４
２０         ∞                     ０．６０
２１         ∞                     ０．５０      １．５１６３３      ６４．１４
２２         ∞                     １．００
２３         ∞（像面）